(57)【要約】【課題】色の再現性が向上された照明装置を提供する。【解決手段】照明装置は、一次光を発するＬＥＤチップと、一次光により励起されて二次光を発する蛍光体粒子とを備える。照明装置１００は、一次光及び二次光を含む出射光を発する。出射光の発光スペクトルは、波長４２０ｎｍ以上４６０ｎｍ以下の範囲に位置する第一ピークと、波長５３０ｎｍ以上５８０ｎｍ以下の範囲に位置する第二ピークと、波長６０５ｎｍ以上６５５ｎｍ以下の範囲に位置する第三ピークと、波長４４０ｎｍ以上４８０ｎｍ以下の範囲に位置する第一ボトムと、波長５５５ｎｍ以上６０５ｎｍ以下の範囲に位置する第二ボトムとを有する。【選択図】図１１
2019062173.tif 000002
【特許請求の範囲】
【請求項１】
一次光を発する発光素子と、
前記一次光により励起されて二次光を発する発光粒子とを備え、
前記一次光及び前記二次光を含む出射光を発し、
前記出射光の発光スペクトルは、
波長４２０ｎｍ以上４６０ｎｍ以下の範囲に位置する第一ピークと、
波長５３０ｎｍ以上５８０ｎｍ以下の範囲に位置する第二ピークと、
波長６０５ｎｍ以上６５５ｎｍ以下の範囲に位置する第三ピークと、
波長４４０ｎｍ以上４８０ｎｍ以下の範囲に位置する第一ボトムと、
波長５５５ｎｍ以上６０５ｎｍ以下の範囲に位置する第二ボトムとを有する
照明装置。
【請求項２】
前記発光スペクトルにおいて、前記第一ピークにおける光強度に対する、
前記第二ピークにおける光強度の比は、０．５３以上０．６５未満であり、
前記第三ピークにおける光強度の比は、０．４９以上０．６６未満であり、
前記第一ボトムにおける光強度の比は、０．５４以上０．６９未満であり、
前記第二ボトムにおける光強度の比は、０．３９以上０．５０未満である
請求項１に記載の照明装置。
【請求項３】
前記発光スペクトルにおいて、前記第一ピークにおける光強度に対する、
前記第二ピークにおける光強度の比は、０．６５以上０．７６未満であり、
前記第三ピークにおける光強度の比は、０．６６以上０．８５未満であり、
前記第一ボトムにおける光強度の比は、０．４５以上０．５４未満であり、
前記第二ボトムにおける光強度の比は、０．５０以上０．６０未満である
請求項１に記載の照明装置。
【請求項４】
前記発光スペクトルにおいて、前記第一ピークにおける光強度に対する、
前記第二ピークにおける光強度の比は、０．７６以上０．８７未満であり、
前記第三ピークにおける光強度の比は、０．８５以上１．１０未満であり、
前記第一ボトムにおける光強度の比は、０．３８以上０．４５未満であり、
前記第二ボトムにおける光強度の比は、０．６以上０．７１未満である
請求項１に記載の照明装置。
【請求項５】
前記発光スペクトルにおいて、前記第一ピークにおける光強度に対する、
前記第二ピークにおける光強度の比は、０．８７以上０．９９未満であり、
前記第三ピークにおける光強度の比は、１．１０以上１．３３未満であり、
前記第一ボトムにおける光強度の比は、０．５７以上０．６５未満であり、
前記第二ボトムにおける光強度の比は、０．７１以上０．８４未満である
請求項１に記載の照明装置。
【請求項６】
前記発光スペクトルにおいて、前記第一ピークにおける光強度に対する、
前記第二ピークにおける光強度の比は、０．９９以上１．１８未満であり、
前記第三ピークにおける光強度の比は、１．３３以上１．７５未満であり、
前記第一ボトムにおける光強度の比は、０．４９以上０．５７未満であり、
前記第二ボトムにおける光強度の比は、０．８４以上１．０３未満である
請求項１に記載の照明装置。
【請求項７】
前記発光スペクトルにおいて、前記第一ピークにおける光強度に対する、
前記第二ピークにおける光強度の比は、１．１８以上１．４０未満であり、
前記第三ピークにおける光強度の比は、１．７５以上２．３３未満であり、
前記第一ボトムにおける光強度の比は、０．４２以上０．４９未満であり、
前記第二ボトムにおける光強度の比は、１．０３以上１．２８未満である
請求項１に記載の照明装置。
【請求項８】
前記発光スペクトルにおいて、前記第一ピークにおける光強度に対する、
前記第二ピークにおける光強度の比は、１．４０以上１．６１未満であり、
前記第三ピークにおける光強度の比は、２．３３以上２．９３未満であり、
前記第一ボトムにおける光強度の比は、０．３８以上０．４２未満であり、
前記第二ボトムにおける光強度の比は、１．２８以上１．５２未満である
請求項１に記載の照明装置。
【請求項９】
前記発光スペクトルにおいて、前記第一ピークにおける光強度に対する、
前記第二ピークにおける光強度の比は、１．６１以上１．８４未満であり、
前記第三ピークにおける光強度の比は、２．９３以上３．６３未満であり、
前記第一ボトムにおける光強度の比は、０．３３以上０．３８未満であり、
前記第二ボトムにおける光強度の比は、１．５２以上１．７９未満である
請求項１に記載の照明装置。
【請求項１０】
前記発光スペクトルにおいて、前記第一ピークの光強度を１としたときの、前記第一ピークの波長よりも長く前記第三ピークの波長よりも短い波長範囲における光強度は０．３５以上である
請求項１〜９のいずれか１項に記載の照明装置。
【請求項１１】
一次光を発する発光素子と、
前記一次光により励起されて二次光を発する発光粒子とを備え、
前記一次光及び前記二次光を含む出射光を発し、
前記出射光の発光スペクトルは、
波長４２０ｎｍ以上４６０ｎｍ以下の範囲に位置する第一ピークと、
波長５３０ｎｍ以上５８０ｎｍ以下の範囲に位置する第二ピークと、
波長６０５ｎｍ以上６５５ｎｍ以下の範囲に位置する第三ピークと、
波長４４０ｎｍ以上４８０ｎｍ以下の範囲に位置する第一ボトムと、
波長５５５ｎｍ以上６０５ｎｍ以下の範囲に位置する第二ボトムとを有する
発光装置。
【発明の詳細な説明】
【技術分野】
【０００１】
本発明は、照明装置に関する。
【背景技術】
【０００２】
従来、ＬＥＤ（Ｌｉｇｈｔ  Ｅｍｉｔｔｉｎｇ  Ｄｉｏｄｅ）チップなどの発光素子と、ＬＥＤチップから出射された光によって励起されて発光する蛍光体粒子との組み合わせによってＬＥＤチップと異なる色の光を出射する発光装置が知られている。このような発光装置の一例として、特許文献１には、発光効率を高めることができるとともに温度上昇に伴う輝度の低下が起こりにくい発光装置が開示されている。
【先行技術文献】
【特許文献】
【０００３】
【特許文献１】特開２０１１−１３４９３４号公報
【発明の概要】
【発明が解決しようとする課題】
【０００４】
ＬＥＤなどの発光素子を用いた照明装置が発する白色光は、発光スペクトルの光強度に偏りがあるため、自然光よりも色の再現性が低い。つまり、このような照明装置においては、色の再現性を向上することが課題となる。
【０００５】
本発明は、色の再現性が向上された照明装置を提供する。
【課題を解決するための手段】
【０００６】
本発明の一態様に係る照明装置は、一次光を発する発光素子と、前記一次光により励起されて二次光を発する発光粒子とを備え、前記一次光及び前記二次光を含む出射光を発し、前記出射光の発光スペクトルは、波長４２０ｎｍ以上４６０ｎｍ以下の範囲に位置する第一ピークと、波長５３０ｎｍ以上５８０ｎｍ以下の範囲に位置する第二ピークと、波長６０５ｎｍ以上６５５ｎｍ以下の範囲に位置する第三ピークと、波長４４０ｎｍ以上４８０ｎｍ以下の範囲に位置する第一ボトムと、波長５５５ｎｍ以上６０５ｎｍ以下の範囲に位置する第二ボトムとを有する。
【０００７】
本発明の一態様に係る発光装置は、一次光を発する発光素子と、前記一次光により励起されて二次光を発する発光粒子とを備え、前記一次光及び前記二次光を含む出射光を発し、前記出射光の発光スペクトルは、波長４２０ｎｍ以上４６０ｎｍ以下の範囲に位置する第一ピークと、波長５３０ｎｍ以上５８０ｎｍ以下の範囲に位置する第二ピークと、波長６０５ｎｍ以上６５５ｎｍ以下の範囲に位置する第三ピークと、波長４４０ｎｍ以上４８０ｎｍ以下の範囲に位置する第一ボトムと、波長５５５ｎｍ以上６０５ｎｍ以下の範囲に位置する第二ボトムとを有する。
【発明の効果】
【０００８】
本発明によれば、色の再現性が向上された照明装置が実現される。
【図面の簡単な説明】
【０００９】
【図１】図１は、実施の形態１に係る照明装置及びその周辺部材の外観斜視図である。
【図２】図２は、実施の形態１に係る照明装置の断面図である。
【図３】図３は、実施の形態１に係る照明装置の複数の実施例と演色評価数Ｒｉとの関係を示す図である。
【図４】図４は、実施の形態１に係る照明装置の複数の実施例と、複数の実施例のそれぞれにおいて用いられた量子ドット蛍光体の特性との関係を示す図である。
【図５】図５は、比較例１に係る照明装置の発光スペクトルを示す図である。
【図６】図６は、比較例２に係る照明装置の発光スペクトルを示す図である。
【図７】図７は、比較例３に係る照明装置の発光スペクトルを示す図である。
【図８】図８は、比較例４に係る照明装置の発光スペクトルを示す図である。
【図９】図９は、比較例５に係る照明装置の発光スペクトルを示す図である。
【図１０】図１０は、比較例６に係る照明装置の発光スペクトルを示す図である。
【図１１】図１１は、実施例１に係る照明装置の発光スペクトルを示す図である。
【図１２】図１２は、実施例２に係る照明装置の発光スペクトルを示す図である。
【図１３】図１３は、実施例３に係る照明装置の発光スペクトルを示す図である。
【図１４】図１４は、実施例４に係る照明装置の発光スペクトルを示す図である。
【図１５】図１５は、実施例５に係る照明装置の発光スペクトルを示す図である。
【図１６】図１６は、実施例６に係る照明装置の発光スペクトルを示す図である。
【図１７】図１７は、実施例７に係る照明装置の発光スペクトルを示す図である。
【図１８】図１８は、実施例８に係る照明装置の発光スペクトルを示す図である。
【図１９】図１９は、第一ピークの光強度に対する、第二ピーク、第三ピーク、第一ボトム、及び、第二ボトムの光強度の比を示す図である。
【図２０】図２０は、色温度と、第一ピークに対する第二ピークの光強度の比とをプロットしたグラフである。
【図２１】図２１は、色温度と、第一ピークに対する第三ピークの光強度の比とをプロットしたグラフである。
【図２２】図２２は、色温度と、第一ピークに対する第一ボトムの光強度の比とをプロットしたグラフである。
【図２３】図２３は、色温度と、第一ピークに対する第二ボトムの光強度の比とをプロットしたグラフである。
【図２４】図２４は、ＡＮＳＩ（Ａｍｅｒｉｃａｎ  Ｎａｔｉｏｎａｌ  Ｓｔａｎｄａｒｄｓ  Ｉｎｓｔｉｔｕｔｅ）によって定められた色温度の規格を示す図である。
【図２５】図２５は、実施の形態２に係る発光装置の外観斜視図である。
【図２６】図２６は、実施の形態２に係る発光装置の模式断面図である。
【図２７】図２７は、実施の形態２の変形例１に係る発光装置の模式断面図である。
【図２８】図２８は、実施の形態２の変形例２に係る発光装置の模式断面図である。
【図２９】図２９は、実施の形態２の変形例３に係る発光装置の模式断面図である。
【図３０】図３０は、実施の形態２の変形例４に係る発光装置の模式断面図である。
【図３１】図３１は、実施の形態２の変形例５に係る発光装置の模式断面図である。
【発明を実施するための形態】
【００１０】
以下、実施の形態について、図面を参照しながら説明する。なお、以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００１１】
なお、各図は模式図であり、必ずしも厳密に図示されたものではない。また、各図において、実質的に同一の構成に対しては同一の符号を付しており、重複する説明は省略または簡略化される場合がある。
【００１２】
（実施の形態１）
［照明装置の全体構成］
以下、実施の形態１に係る照明装置の構成について図面を参照しながら説明する。図１は、実施の形態に係る照明装置の外観斜視図である。図２は、実施の形態１に係る照明装置の断面図である。
【００１３】
図１及び図２に示されるように、実施の形態１に係る照明装置１００は、例えば、住宅等の天井に埋込配設されることにより下方の空間（廊下または壁等）に光を照射するダウンライトである。
【００１４】
照明装置１００は、発光装置３０を備える。また、照明装置１００は、基部１１０と枠体部１２０とが結合されることで構成される略有底筒状の器具本体、反射板１３０、点灯装置１５０、端子台１６０、取付板１７０、及び、天板１８０を備える。発光装置３０は、発光部１０及び蛍光体プレート２０を備える。
【００１５】
［発光装置：発光部］
発光部１０は、基板１１に複数のＬＥＤチップ１２が直接実装された、ＣＯＢ（Ｃｈｉｐ  Ｏｎ  Ｂｏａｒｄ）構造のＬＥＤモジュールであり、青色光を発する。
【００１６】
基板１１は、配線が設けられた配線領域を有する基板である。配線は、ＬＥＤチップ１２に電力を供給するための配線であり、金属材料によって形成される。また、基板１１上には、発光部１０と外部装置とを電気的に接続するための電極が上記配線の一部として設けられる。基板１１は、例えば、メタルベース基板またはセラミック基板である。また、基板１１は、樹脂を基材とする樹脂基板であってもよい。
【００１７】
セラミック基板としては、酸化アルミニウム（アルミナ）からなるアルミナ基板または窒化アルミニウムからなる窒化アルミニウム基板等が採用される。また、メタルベース基板としては、例えば、表面に絶縁膜が形成された、アルミニウム合金基板、鉄合金基板または銅合金基板等が採用される。樹脂基板としては、例えば、ガラス繊維とエポキシ樹脂とからなるガラスエポキシ基板等が採用される。
【００１８】
なお、基板１１として、例えば光反射率が高い（例えば光反射率が９０％以上の）基板が採用されてもよい。基板１１として光反射率の高い基板が採用されることで、ＬＥＤチップが発する光を基板１１の表面で反射させることができる。この結果、発光部１０の光の取り出し効率が向上される。このような基板としては、例えばアルミナを基材とする白色セラミック基板が例示される。
【００１９】
また、基板１１として、光透過率が高い透光性基板が採用されてもよい。このような基板としては、多結晶のアルミナまたは窒化アルミニウムからなる透光性セラミック基板、ガラスからなる透明ガラス基板、水晶からなる水晶基板、サファイアからなるサファイア基板または透明樹脂材料からなる透明樹脂基板が例示される。なお、基板１１の平面視形状は、例えば、矩形であるが、円形などその他の形状であってもよい。
【００２０】
ＬＥＤチップ１２は、発光素子の一例であり、基板１１上に配置（実装）される。ＬＥＤチップ１２は、例えば、ＩｎＧａＮなどの窒化ガリウム系の材料によって構成された、中心波長（発光スペクトルのピーク波長）が４２０ｎｍ以上４６０ｎｍ以下の青色ＬＥＤチップである。つまり、ＬＥＤチップ１２は、青色光を発する。実施の形態１では、ＬＥＤチップ１２は、発光ピーク波長が約４４２ｎｍの青色光を発する。
【００２１】
基板１１上には、複数のＬＥＤチップ１２が配置されるが、少なくとも１つのＬＥＤチップ１２が配置されればよい。複数のＬＥＤチップ１２は、基板１１上にどのように配置されてもよい。また、複数のＬＥＤチップ１２は、どのように電気的に接続されてもよい。
【００２２】
［発光装置：蛍光体プレート］
蛍光体プレート２０は、蛍光部材の一例であって、発光部１０と対向して配置される。蛍光体プレート２０は、蛍光体プレート２０の主面が発光部１０の光軸と直交するように配置される。蛍光体プレート２０は、発光部１０の光出射側に、発光部１０と離れて配置されている。つまり、蛍光体プレート２０には、発光部１０が発する青色光が照射される。蛍光体プレート２０は、波長変換材の一例であり、基材２１と、蛍光体粒子２２とを備える。
【００２３】
基材２１は、例えば、アクリル樹脂またはポリカーボネート樹脂などの透光性を有する樹脂材料によって形成されるが、透光性を有するセラミック材料などによって形成されてもよい。基材２１が樹脂材料である場合、蛍光体粒子２２は、例えば、成形時に樹脂材料に混ぜ込まれる。基材２１がセラミック材料である場合は、蛍光体粒子２２は、例えば、基材２１の表面にスピンコートされる。蛍光体プレート２０の厚みは、例えば、１ｍｍ以下であるが、１００μｍ以下であってもよい。
【００２４】
また、蛍光体プレート２０は、蛍光体粒子２２を含む蛍光体層がガラス材料によって挟まれた積層構造を有してもよい。
【００２５】
蛍光体粒子２２は、発光粒子の一例であり、発光部１０が備えるＬＥＤチップ１２が発する一次光（つまり、青色光）によって励起されて一次光よりも長波長の二次光を発する。蛍光体粒子２２は、例えば、半導体材料を含む量子ドット蛍光体である。量子ドット蛍光体は、具体的には、ＣｄＳｘＳｅ１−ｘ／ＺｎＳの化学式で表現される量子ドット蛍光体であるが、カドミウムフリーの量子ドット蛍光体であってもよい。量子ドット蛍光体は、組成及び形状の少なくとも一方が変更されることにより様々な発光ピーク波長の光を発することができる。
【００２６】
発光部１０が一次光（つまり、青色光）を発すると、発せられた一次光の一部は、蛍光体プレート２０に含まれる蛍光体粒子２２によって二次光に波長変換される。この結果、照明装置１００は、蛍光体粒子２２に吸収されなかった一次光と、蛍光体粒子２２によって波長変換された二次光とが含まれる出射光を発する。出射光は、具体的には、白色光である。
【００２７】
［基部、本体部、反射板］
基部１１０は、発光部１０が取り付けられる取付台であるとともに、発光部１０で発生する熱を放熱するヒートシンクである。基部１１０は、金属材料を用いて略円柱状に形成されており、実施の形態１ではアルミダイカスト製である。
【００２８】
基部１１０の上部（天井側部分）には、上方に向かって突出する複数の放熱フィン１１１が一方向に沿って互いに一定の間隔をあけて設けられている。これにより、発光部１０で発生する熱を効率よく放熱させることができる。
【００２９】
枠体部１２０は、内面に反射面を有する略円筒状のコーン部１２１と、コーン部１２１が取り付けられる枠体本体部１２２とを有する。コーン部１２１は、金属材料を用いて成形されており、例えば、アルミニウム合金等を絞り加工またはプレス成形することによって作製することができる。枠体本体部１２２は、硬質の樹脂材料または金属材料によって成形されている。枠体部１２０は、枠体本体部１２２が基部１１０に取り付けられることによって固定されている。
【００３０】
反射板１３０は、内面反射機能を有する円環枠状（漏斗状の）反射部材である。反射板１３０は、例えばアルミニウム等の金属材料を用いて形成することができる。なお、反射板１３０は、金属材料ではなく、硬質の白色樹脂材料によって形成してもよい。
【００３１】
［点灯装置、端子台、取付板、天板］
また、図１に示されるように、照明装置１００は、発光部１０に、当該発光部１０を点灯させるための電力を供給する点灯装置１５０と、商用電源からの交流電力を点灯装置１５０に中継する端子台１６０とを備える。点灯装置１５０は、具体的には、端子台１６０から中継される交流電力を直流電力に変換して発光部１０に出力する。
【００３２】
点灯装置１５０及び端子台１６０は、器具本体とは別体に設けられた取付板１７０に固定される。取付板１７０は、金属材料からなる矩形板状の部材を折り曲げて形成されており、その長手方向の一端部の下面に点灯装置１５０が固定されるとともに、他端部の下面に端子台１６０が固定される。取付板１７０は、器具本体の基部１１０の上部に固定された天板１８０と互いに連結される。
【００３３】
［照明装置が備える蛍光体プレートの具体的構成］
発明者らは、蛍光体プレート２０に発光ピーク波長が互いに異なる複数種類の量子ドット蛍光体を含めることにより、１５の演色評価数Ｒ１〜Ｒ１５がいずれも高い値となる照明装置１００を実現した。図３は、照明装置１００の複数の実施例と演色評価数Ｒｉ（ｉは、１以上１５以下の整数）との関係を示す図である。図４は、照明装置１００の複数の実施例と、複数の実施例のそれぞれにおいて用いられた量子ドット蛍光体の特性との関係を示す図である。なお、図３及び図４では、演色評価数Ｒ１〜Ｒ１５がいずれも高い値となる実施例１〜８に加えて、発明者らの検討により得られた比較例についても図示されている。図３では、演色評価数が９０未満となるセルにハッチングが施されており、ハッチングが施されていないセルは演色評価数が９０以上である。
【００３４】
［比較例１〜６］
まず、比較例１〜６に係る照明装置１００について説明する。比較例１に係る照明装置１００においては、蛍光体プレート２０には、発光ピーク波長が５５５ｎｍの量子ドット蛍光体、及び、発光ピーク波長が６３０ｎｍの量子ドット蛍光体の２種類の量子ドット蛍光体が含まれる。
【００３５】
発光ピーク波長が５５５ｎｍの量子ドット蛍光体は、光強度の半値幅が４５ｎｍ、強度比が４６である。発光ピーク波長が６３０ｎｍの量子ドット蛍光体は、光強度の半値幅が４５ｎｍ、強度比が２８である。なお、ここでの強度比は、相対的な光強度を意味し、比較例１に係る照明装置１００において、発光部１０が発する発光ピーク波長が４４１．５ｎｍの青色光は、光強度の半値幅が２０強度比が２６である。図５は、比較例１に係る照明装置１００の発光スペクトルを示す図である。比較例１に係る照明装置１００の出射光の色温度は４９８１．３Ｋであり、Ｄｕｖは０．５である。
【００３６】
比較例２に係る照明装置１００においては、蛍光体プレート２０には、発光ピーク波長が４８０ｎｍの量子ドット蛍光体、発光ピーク波長が５５５ｎｍの量子ドット蛍光体、及び、発光ピーク波長が６３０ｎｍの量子ドット蛍光体の３種類の量子ドット蛍光体が含まれる。
【００３７】
発光ピーク波長が４８０ｎｍの量子ドット蛍光体は、光強度の半値幅が４５ｎｍ、強度比が２８である。発光ピーク波長が５５５ｎｍの量子ドット蛍光体は、光強度の半値幅が４５ｎｍ、強度比が６２である。発光ピーク波長が６３０ｎｍの量子ドット蛍光体は、光強度の半値幅が４５ｎｍ、強度比が５１である。比較例２に係る照明装置１００において、発光部１０が発する発光ピーク波長が４４１．５ｎｍの青色光は、光強度の半値幅が２０、強度比が２５である。図６は、比較例２に係る照明装置１００の発光スペクトルを示す図である。比較例２に係る照明装置１００の出射光の色温度は４９８７．９Ｋであり、Ｄｕｖは−０．３である。
【００３８】
比較例３に係る照明装置１００においては、蛍光体プレート２０には、発光ピーク波長が４８０ｎｍの量子ドット蛍光体、発光ピーク波長が５０５ｎｍの量子ドット蛍光体、発光ピーク波長が５５５ｎｍの量子ドット蛍光体、及び、発光ピーク波長が６３０ｎｍの量子ドット蛍光体の４種類の量子ドット蛍光体が含まれる。
【００３９】
発光ピーク波長が４８０ｎｍの量子ドット蛍光体は、光強度の半値幅が４５ｎｍ、強度比が３２である。発光ピーク波長が５０５ｎｍの量子ドット蛍光体は、光強度の半値幅が４５ｎｍ、強度比が２０である。発光ピーク波長が５５５ｎｍの量子ドット蛍光体は、光強度の半値幅が４５ｎｍ、強度比が６２である。発光ピーク波長が６３０ｎｍの量子ドット蛍光体は、光強度の半値幅が４５ｎｍ、強度比が７３である。比較例３に係る照明装置１００において、発光部１０が発する発光ピーク波長が４４１．５ｎｍの青色光は、光強度の半値幅が２０、強度比が２７である。図７は、比較例３に係る照明装置１００の発光スペクトルを示す図である。比較例３に係る照明装置１００の出射光の色温度は４９５３．３Ｋであり、Ｄｕｖは−０．６である。
【００４０】
比較例４に係る照明装置１００においては、蛍光体プレート２０には、発光ピーク波長が４８０ｎｍの量子ドット蛍光体、発光ピーク波長が５０５ｎｍの量子ドット蛍光体、発光ピーク波長が５３０ｎｍの量子ドット蛍光体、発光ピーク波長が５５５ｎｍの量子ドット蛍光体、及び、発光ピーク波長が６３０ｎｍの量子ドット蛍光体の５種類の量子ドット蛍光体が含まれる。
【００４１】
発光ピーク波長が４８０ｎｍの量子ドット蛍光体は、光強度の半値幅が４５ｎｍ、強度比が３２である。発光ピーク波長が５０５ｎｍの量子ドット蛍光体は、光強度の半値幅が４５ｎｍ、強度比が２０である。光ピーク波長が５３０ｎｍの量子ドット蛍光体は、光強度の半値幅が４５ｎｍ、強度比が２０である。発光ピーク波長が５５５ｎｍの量子ドット蛍光体は、光強度の半値幅が４５ｎｍ、強度比が６１である。発光ピーク波長が６３０ｎｍの量子ドット蛍光体は、光強度の半値幅が４５ｎｍ、強度比が９５である。比較例４に係る照明装置１００において、発光部１０が発する発光ピーク波長が４４１．５ｎｍの青色光は、光強度の半値幅が２０、強度比が３８である。図８は、比較例４に係る照明装置１００の発光スペクトルを示す図である。比較例４に係る照明装置１００の出射光の色温度は４９５６．５Ｋであり、Ｄｕｖは−０．６である。
【００４２】
比較例５に係る照明装置１００においては、蛍光体プレート２０には、発光ピーク波長が４８０ｎｍの量子ドット蛍光体、発光ピーク波長が５０５ｎｍの量子ドット蛍光体、発光ピーク波長が５３０ｎｍの量子ドット蛍光体、発光ピーク波長が５５５ｎｍの量子ドット蛍光体、発光ピーク波長が５８０ｎｍの量子ドット蛍光体、及び、発光ピーク波長が６３０ｎｍの量子ドット蛍光体の６種類の量子ドット蛍光体が含まれる。
【００４３】
発光ピーク波長が４８０ｎｍの量子ドット蛍光体は、光強度の半値幅が４５ｎｍ、強度比が５０である。発光ピーク波長が５０５ｎｍの量子ドット蛍光体は、光強度の半値幅が４５ｎｍ、強度比が２０である。光ピーク波長が５３０ｎｍの量子ドット蛍光体は、光強度の半値幅が４５ｎｍ、強度比が２０である。発光ピーク波長が５５５ｎｍの量子ドット蛍光体は、光強度の半値幅が４５ｎｍ、強度比が６１である。発光ピーク波長が５８０ｎｍの量子ドット蛍光体は、光強度の半値幅が４５ｎｍ、強度比が２０である。発光ピーク波長が６３０ｎｍの量子ドット蛍光体は、光強度の半値幅が４５ｎｍ、強度比が９５である。比較例５に係る照明装置１００において、発光部１０が発する発光ピーク波長が４４１．５ｎｍの青色光は、光強度の半値幅が２０、強度比が３８である。図９は、比較例５に係る照明装置１００の発光スペクトルを示す図である。比較例５に係る照明装置１００の出射光の色温度は４９５６．４Ｋであり、Ｄｕｖは０．０である。
【００４４】
比較例６に係る照明装置１００においては、蛍光体プレート２０には、発光ピーク波長が４８０ｎｍの量子ドット蛍光体、発光ピーク波長が５０５ｎｍの量子ドット蛍光体、発光ピーク波長が５３０ｎｍの量子ドット蛍光体、発光ピーク波長が５５５ｎｍの量子ドット蛍光体、発光ピーク波長が５８０ｎｍの量子ドット蛍光体、発光ピーク波長が６０５ｎｍの量子ドット蛍光体、及び、発光ピーク波長が６３０ｎｍの量子ドット蛍光体の７種類の量子ドット蛍光体が含まれる。
【００４５】
発光ピーク波長が４８０ｎｍの量子ドット蛍光体は、光強度の半値幅が４５ｎｍ、強度比が６６である。発光ピーク波長が５０５ｎｍの量子ドット蛍光体は、光強度の半値幅が４５ｎｍ、強度比が３５である。光ピーク波長が５３０ｎｍの量子ドット蛍光体は、光強度の半値幅が４５ｎｍ、強度比が２０である。発光ピーク波長が５５５ｎｍの量子ドット蛍光体は、光強度の半値幅が４５ｎｍ、強度比が６１である。発光ピーク波長が５８０ｎｍの量子ドット蛍光体は、光強度の半値幅が４５ｎｍ、強度比が２０である。発光ピーク波長が６０５ｎｍの量子ドット蛍光体は、光強度の半値幅が４５ｎｍ、強度比が２０である。発光ピーク波長が６３０ｎｍの量子ドット蛍光体は、光強度の半値幅が４５ｎｍ、強度比が９５である。比較例６に係る照明装置１００において、発光部１０が発する発光ピーク波長が４４１．５ｎｍの青色光は、光強度の半値幅が２０、強度比が３８である。図１０は、比較例６に係る照明装置１００の発光スペクトルを示す図である。比較例６に係る照明装置１００の出射光の色温度は４９５７．７Ｋであり、Ｄｕｖは−０．６である。
【００４６】
以上説明した比較例１〜６に係る照明装置１００のそれぞれにおいては、演色評価数Ｒ１〜Ｒ１５の一部に比較的低い値が含まれる。しかしながら、例えば、比較例３〜６に係る照明装置１００においては、一般的なＬＥＤ照明装置において低い値をとる演色評価数Ｒ１２が向上されている。
【００４７】
［実施例１〜８］
次に、実施例１〜８に係る照明装置１００について説明する。実施例１〜８に係る照明装置１００においては、蛍光体プレート２０には、発光ピーク波長が４８０ｎｍの量子ドット蛍光体、発光ピーク波長が５０５ｎｍの量子ドット蛍光体、発光ピーク波長が５３０ｎｍの量子ドット蛍光体、発光ピーク波長が５５５ｎｍの量子ドット蛍光体、発光ピーク波長が５８０ｎｍの量子ドット蛍光体、及び、発光ピーク波長が６３０ｎｍの量子ドット蛍光体の６種類の量子ドット蛍光体が含まれる。
【００４８】
実施例１に係る照明装置１００においては、発光ピーク波長が４８０ｎｍの量子ドット蛍光体は、光強度の半値幅が６０ｎｍ、強度比が１００である。発光ピーク波長が５０５ｎｍの量子ドット蛍光体は、光強度の半値幅が６０ｎｍ、強度比が２０である。光ピーク波長が５３０ｎｍの量子ドット蛍光体は、光強度の半値幅が６０ｎｍ、強度比が２０である。発光ピーク波長が５５５ｎｍの量子ドット蛍光体は、光強度の半値幅が６０ｎｍ、強度比が６３である。発光ピーク波長が５８０ｎｍの量子ドット蛍光体は、光強度の半値幅が６０ｎｍ、強度比が２３である。発光ピーク波長が６３０ｎｍの量子ドット蛍光体は、光強度の半値幅が６０ｎｍ、強度比が９５である。実施例１に係る照明装置１００において、発光部１０が発する発光ピーク波長が４４１．５ｎｍの青色光は、光強度の半値幅が２０、強度比が４０である。図１１は、実施例１に係る照明装置１００の発光スペクトルを示す図である。実施例１に係る照明装置１００の出射光の色温度は６５２２．２Ｋであり、Ｄｕｖは０．６である。
【００４９】
実施例２に係る照明装置１００においては、発光ピーク波長が４８０ｎｍの量子ドット蛍光体は、光強度の半値幅が６０ｎｍ、強度比が７５である。発光ピーク波長が５０５ｎｍの量子ドット蛍光体は、光強度の半値幅が６０ｎｍ、強度比が２０である。光ピーク波長が５３０ｎｍの量子ドット蛍光体は、光強度の半値幅が６０ｎｍ、強度比が２０である。発光ピーク波長が５５５ｎｍの量子ドット蛍光体は、光強度の半値幅が６０ｎｍ、強度比が６３である。発光ピーク波長が５８０ｎｍの量子ドット蛍光体は、光強度の半値幅が６０ｎｍ、強度比が２０である。発光ピーク波長が６３０ｎｍの量子ドット蛍光体は、光強度の半値幅が６０ｎｍ、強度比が９５である。実施例２に係る照明装置１００において、発光部１０が発する発光ピーク波長が４４１．５ｎｍの青色光は、光強度の半値幅が２０、強度比が３８である。図１２は、実施例２に係る照明装置１００の発光スペクトルを示す図である。実施例２に係る照明装置１００の出射光の色温度は５７１６．４Ｋであり、Ｄｕｖは０．３である。
【００５０】
実施例３に係る照明装置１００においては、発光ピーク波長が４８０ｎｍの量子ドット蛍光体は、光強度の半値幅が６０ｎｍ、強度比が５１である。発光ピーク波長が５０５ｎｍの量子ドット蛍光体は、光強度の半値幅が６０ｎｍ、強度比が２０である。光ピーク波長が５３０ｎｍの量子ドット蛍光体は、光強度の半値幅が６０ｎｍ、強度比が２０である。発光ピーク波長が５５５ｎｍの量子ドット蛍光体は、光強度の半値幅が６０ｎｍ、強度比が６３である。発光ピーク波長が５８０ｎｍの量子ドット蛍光体は、光強度の半値幅が６０ｎｍ、強度比が２０である。発光ピーク波長が６３０ｎｍの量子ドット蛍光体は、光強度の半値幅が６０ｎｍ、強度比が９５である。実施例３に係る照明装置１００において、発光部１０が発する発光ピーク波長が４４１．５ｎｍの青色光は、光強度の半値幅が２０、強度比が３８である。図１３は、実施例３に係る照明装置１００の発光スペクトルを示す図である。実施例３に係る照明装置１００の出射光の色温度は５０４２．１Ｋであり、Ｄｕｖは−０．４である。
【００５１】
実施例４に係る照明装置１００においては、発光ピーク波長が４８０ｎｍの量子ドット蛍光体は、光強度の半値幅が６０ｎｍ、強度比が６９である。発光ピーク波長が５０５ｎｍの量子ドット蛍光体は、光強度の半値幅が６０ｎｍ、強度比が１９である。光ピーク波長が５３０ｎｍの量子ドット蛍光体は、光強度の半値幅が６０ｎｍ、強度比が３２である。発光ピーク波長が５５５ｎｍの量子ドット蛍光体は、光強度の半値幅が６０ｎｍ、強度比が６９である。発光ピーク波長が５８０ｎｍの量子ドット蛍光体は、光強度の半値幅が６０ｎｍ、強度比が２６である。発光ピーク波長が６３０ｎｍの量子ドット蛍光体は、光強度の半値幅が６０ｎｍ、強度比が１３３である。実施例４に係る照明装置１００において、発光部１０が発する発光ピーク波長が４４１．５ｎｍの青色光は、光強度の半値幅が２０、強度比が３４である。図１４は、実施例４に係る照明装置１００の発光スペクトルを示す図である。実施例４に係る照明装置１００の出射光の色温度は４５０６．６Ｋであり、Ｄｕｖは−０．４である。
【００５２】
実施例５に係る照明装置１００においては、発光ピーク波長が４８０ｎｍの量子ドット蛍光体は、光強度の半値幅が６０ｎｍ、強度比が７５である。発光ピーク波長が５０５ｎｍの量子ドット蛍光体は、光強度の半値幅が６０ｎｍ、強度比が１８である。光ピーク波長が５３０ｎｍの量子ドット蛍光体は、光強度の半値幅が６０ｎｍ、強度比が４３である。発光ピーク波長が５５５ｎｍの量子ドット蛍光体は、光強度の半値幅が６０ｎｍ、強度比が７５である。発光ピーク波長が５８０ｎｍの量子ドット蛍光体は、光強度の半値幅が６０ｎｍ、強度比が３２である。発光ピーク波長が６３０ｎｍの量子ドット蛍光体は、光強度の半値幅が６０ｎｍ、強度比が１７０である。実施例５に係る照明装置１００において、発光部１０が発する発光ピーク波長が４４１．５ｎｍの青色光は、光強度の半値幅が２０、強度比が３０である。図１５は、実施例５に係る照明装置１００の発光スペクトルを示す図である。実施例５に係る照明装置１００の出射光の色温度は４０３３．８Ｋであり、Ｄｕｖは０．３である。
【００５３】
実施例６に係る照明装置１００においては、発光ピーク波長が４８０ｎｍの量子ドット蛍光体は、光強度の半値幅が６０ｎｍ、強度比が４５である。発光ピーク波長が５０５ｎｍの量子ドット蛍光体は、光強度の半値幅が６０ｎｍ、強度比が１８である。光ピーク波長が５３０ｎｍの量子ドット蛍光体は、光強度の半値幅が６０ｎｍ、強度比が４３である。発光ピーク波長が５５５ｎｍの量子ドット蛍光体は、光強度の半値幅が６０ｎｍ、強度比が７５である。発光ピーク波長が５８０ｎｍの量子ドット蛍光体は、光強度の半値幅が６０ｎｍ、強度比が３２である。発光ピーク波長が６３０ｎｍの量子ドット蛍光体は、光強度の半値幅が６０ｎｍ、強度比が１８０である。実施例６に係る照明装置１００において、発光部１０が発する発光ピーク波長が４４１．５ｎｍの青色光は、光強度の半値幅が２０、強度比が３０である。図１６は、実施例６に係る照明装置１００の発光スペクトルを示す図である。実施例６に係る照明装置１００の出射光の色温度は３５３６．０Ｋであり、Ｄｕｖは０．４である。
【００５４】
実施例７に係る照明装置１００においては、発光ピーク波長が４８０ｎｍの量子ドット蛍光体は、光強度の半値幅が６０ｎｍ、強度比が３５である。発光ピーク波長が５０５ｎｍの量子ドット蛍光体は、光強度の半値幅が６０ｎｍ、強度比が１８である。光ピーク波長が５３０ｎｍの量子ドット蛍光体は、光強度の半値幅が６０ｎｍ、強度比が６３である。発光ピーク波長が５５５ｎｍの量子ドット蛍光体は、光強度の半値幅が６０ｎｍ、強度比が７５である。発光ピーク波長が５８０ｎｍの量子ドット蛍光体は、光強度の半値幅が６０ｎｍ、強度比が５０である。発光ピーク波長が６３０ｎｍの量子ドット蛍光体は、光強度の半値幅が６０ｎｍ、強度比が２６０である。実施例７に係る照明装置１００において、発光部１０が発する発光ピーク波長が４４１．５ｎｍの青色光は、光強度の半値幅が２０、強度比が３０である。図１７は、実施例７に係る照明装置１００の発光スペクトルを示す図である。実施例７に係る照明装置１００の出射光の色温度は２９６９．１Ｋであり、Ｄｕｖは−０．５である。
【００５５】
実施例８に係る照明装置１００においては、発光ピーク波長が４８０ｎｍの量子ドット蛍光体は、光強度の半値幅が６０ｎｍ、強度比が２５である。発光ピーク波長が５０５ｎｍの量子ドット蛍光体は、光強度の半値幅が６０ｎｍ、強度比が１７である。光ピーク波長が５３０ｎｍの量子ドット蛍光体は、光強度の半値幅が６０ｎｍ、強度比が６０である。発光ピーク波長が５５５ｎｍの量子ドット蛍光体は、光強度の半値幅が６０ｎｍ、強度比が７０である。発光ピーク波長が５８０ｎｍの量子ドット蛍光体は、光強度の半値幅が６０ｎｍ、強度比が４６である。発光ピーク波長が６３０ｎｍの量子ドット蛍光体は、光強度の半値幅が６０ｎｍ、強度比が２７７である。実施例８に係る照明装置１００において、発光部１０が発する発光ピーク波長が４４１．５ｎｍの青色光は、光強度の半値幅が２０、強度比が２５である。図１８は、実施例８に係る照明装置１００の発光スペクトルを示す図である。実施例８に係る照明装置１００の出射光の色温度は２７１５．２Ｋであり、Ｄｕｖは−０．７である。
【００５６】
以上説明した実施例１〜８に係る照明装置１００のそれぞれにおいては、演色評価数Ｒ１〜Ｒ１５に７９未満の値が含まれない。言い換えれば、実施例１〜８に係る照明装置１００のそれぞれにおいては、演色評価数Ｒ１〜Ｒ１５の全てが７９以上となる。つまり、実施例１〜８に係る照明装置１００のそれぞれは、色の再現性が向上された照明装置であるといえる。
【００５７】
実施例１〜８に係る照明装置１００のそれぞれの出射光の発光スペクトルは、波長４２０ｎｍ以上４６０ｎｍ以下の範囲に位置する第一ピークと、波長５３０ｎｍ以上５８０ｎｍ以下の範囲に位置する第二ピークと、波長６０５ｎｍ以上６５５ｎｍ以下の範囲に位置する第三ピークと、波長４４０ｎｍ以上４８０ｎｍ以下の範囲に位置する第一ボトムと、波長５５５ｎｍ以上６０５ｎｍ以下の範囲に位置する第二ボトムとを有する。第一ボトムは、より詳細には、波長４４０ｎｍ以上４８０ｎｍ以下の範囲で、かつ、第一ピークの波長よりも長波長側の範囲内に位置する。第二ボトムは、より詳細には、波長５５５ｎｍ以上６０５ｎｍ以下の範囲で、かつ、第二ピークの波長よりも長波長側の範囲内に位置する。
【００５８】
第一ピークは、青色の波長範囲に属するピークであり、第二ピークは、緑色の波長範囲に属するピークであり、第三ピークは、赤色の波長範囲に属するピークである。第一ボトムは、青色の波長範囲に属するボトムであり、第二ボトムは、橙色の波長範囲に属するボトムである。
【００５９】
なお、第一ピーク及び第二ピークは、発光スペクトルにおいて光強度が局所的な最大値（つまり、極大値）をとる点を意味する。第一ピーク及び第二ピークは、第一凸部及び第二凸部と言い換えられてもよい。第一ボトム、第二ボトム、及び、第三ボトムは、発光スペクトルにおいて光強度が局所的な最小値（つまり、極小値）をとる点を意味する。第一ボトム、第二ボトム、及び、第三ボトムは、第一凹部、第二凹部、及び、第三凹部と言い換えられてもよい。
【００６０】
図１９は、第一ピークの光強度に対する、第二ピーク、第三ピーク、第一ボトム、及び、第二ボトムの光強度の比を示す図である。言い換えれば、図１９は、第一ピークの光強度を１とした場合の第二ピーク、第三ピーク、第一ボトム、及び、第二ボトムの光強度を示す図である。
【００６１】
図１１〜図１９に示されるように、実施例１〜８に係る照明装置１００のそれぞれの出射光の発光スペクトルにおいて、第一ピークの光強度を１としたときの光強度は、第一ピークの波長よりも長く第三ピークの波長よりも短い波長範囲において０．３５以上となり、０．３５未満とならない。言い換えれば、光強度が極端に小さい波長範囲が無い。これにより、演色評価数Ｒ１〜Ｒ１５の全てを比較的高い値にすることができる。
【００６２】
なお、実施例１〜８に係る照明装置１００においては、比較例１〜６に係る照明装置１００よりも半値幅の広い量子ドット蛍光体が用いられている。実施例１〜８に係る照明装置１００には、具体的には、半値幅が６０ｎｍ以上の量子ドット蛍光体が用いられている。これにより、発光スペクトルにおいて、光強度が極端に小さい波長範囲を減らしやすい効果が得られる。つまり、上記実施例１〜８で説明されたような発光スペクトルを実現しやすい効果が得られる。なお、上記実施例１〜８で説明されたような発光スペクトルは、半値幅が６０ｎｍ未満の量子ドット蛍光体によって実現されてもよい。
【００６３】
また、実施例１〜８で説明された発光スペクトルは、第一ピーク、第二ピーク、及び、第三ピークの３つのピークのみを有しているが、３つのピーク以外に他のピークを有していてもよい。同様に、実施例１〜８で説明された発光スペクトルは、第一ボトム及び第二ボトムの２つのボトムのみを有していてもよいし、２つのボトム以外に他のボトムを有していてもよい。
【００６４】
［演色評価数が高い照明装置に求められる要件］
このような演色評価数が高い照明装置に求められる要件について説明する。図２０は、図１９のデータに基づいて、色温度と、第一ピークに対する第二ピークの光強度の比とをプロットしたグラフである。第一ピークに対する第二ピークの光強度の比は、第二ピークの相対光強度とも記載される。図２０に示されるように、色温度と第一ピークに対する第二ピークの光強度の比とは、相関係数Ｒ２＝０．９８０８となる強い相関性を有する。色温度と第一ピークに対する第二ピークの光強度の比との関係性を示す近似曲線は、図２０の右上の式で表される。
【００６５】
同様に、図２１は、図１９のデータに基づいて、色温度と、第一ピークに対する第三ピークの光強度の比とをプロットしたグラフである。第一ピークに対する第三ピークの光強度の比は、第三ピークの相対光強度とも記載される。図２１に示されるように、色温度と第一ピークに対する第三ピークの光強度の比とは、相関係数Ｒ２＝０．９７１６となる強い相関性を有する。色温度と第一ピークに対する第三ピークの光強度の比との関係性を示す近似曲線は、図２１の右上の式で表される。
【００６６】
図２２は、図１９のデータに基づいて、色温度と、第一ピークに対する第一ボトムの光強度の比とをプロットしたグラフである。第一ピークに対する第一ボトムの光強度の比は、第一ボトムの相対光強度とも記載される。図２１に示されるように、色温度と第一ピークに対する第一ボトムの光強度の比とは、５０００Ｋ以上と、４５００Ｋ以下とを分けて考えると、比較的強い相関性を有する。色温度と第一ピークに対する第一ボトムの光強度の比との関係性を示す近似曲線は、図２２中の式で表される。
【００６７】
また、図２３は、図１９のデータに基づいて、色温度と、第一ピークに対する第二ボトムの光強度の比とをプロットしたグラフである。第一ピークに対する第二ボトムの光強度の比は、第二ボトムの相対光強度とも記載される。図２２に示されるように、色温度と第一ピークに対する第二ボトムの光強度の比とは、相関係数Ｒ２＝０．９７７２となる強い相関性を有する。色温度と第一ピークに対する第二ボトムの光強度の比との関係性を示す近似曲線は、図２３の右上の式で表される。
【００６８】
このように、発明者らは、演色評価数Ｒ１〜Ｒ１５の全てが比較的高い照明装置１００においては、色温度と、第二ピークの相対光強度、第三ピークの相対光強度、第一ボトムの相対光強度、及び、第二ボトムの相対光強度のそれぞれとに強い相関性があることを見出した。このような相関性によれば、ある色温度の照明装置１００において、演色評価数Ｒ１〜１５の全てを高めるために発光スペクトルが満たすべき要件を求めることができる。
【００６９】
例えば、図２４は、ＡＮＳＩによって定められた色温度の規格を示す図である。図２４に示されるように。ＡＮＳＩによって定められた色温度の規格おいては、照明装置１００の出射光の公称色温度と、当該公称色温度のトレランス（言い換えれば、具体的な色温度の範囲）とが定められている。図２０〜図２３中の数式と、図２４の公称色温度のトレランスとを用いれば、演色評価数Ｒ１〜Ｒ１５の全てを高めるために発光スペクトルが満たすべき要件が求められる。
【００７０】
［出射光の色温度が６５００Ｋの照明装置が満たすべき要件］
例えば、公称色温度６５００Ｋの照明装置１００は、具体的には、出射光が６５３０±５１０Ｋの色温度となる。演色評価数Ｒ１〜１５の全てを高めるためには、公称色温度６５００Ｋの照明装置１００の発光スペクトルの第二ピークは、図２０中の数式において６５３０±５１０Ｋの範囲に相当する相対光強度になればよい。具体的には、発光スペクトルにおいて、第一ピークにおける光強度に対する第二ピークにおける光強度の比は、０．５３以上０．６５未満であればよい。
【００７１】
同様に、公称色温度６５００Ｋの照明装置１００の発光スペクトルの第三ピークは、図２１中の数式において６５３０±５１０Ｋの範囲に相当する相対光強度になればよい。具体的には、発光スペクトルにおいて、第一ピークにおける光強度に対する第三ピークにおける光強度の比は、０．４９以上０．６６未満であればよい。
【００７２】
公称色温度６５００Ｋの照明装置１００の発光スペクトルの第一ボトムは、図２２中の数式において６５３０±５１０Ｋの範囲に相当する相対光強度になればよい。具体的には、発光スペクトルにおいて、第一ピークにおける光強度に対する第一ボトムにおける光強度の比は、０．５４以上０．６９未満であればよい。
【００７３】
公称色温度６５００Ｋの照明装置１００の発光スペクトルの第二ボトムは、図２３中の数式において６５３０±５１０Ｋの範囲に相当する相対光強度になればよい。具体的には、発光スペクトルにおいて、第一ピークにおける光強度に対する第二ボトムにおける光強度の比は、０．３９以上０．５０未満であればよい。
【００７４】
［出射光の色温度が５７００Ｋの照明装置が満たすべき要件］
例えば、公称色温度５７００Ｋの照明装置１００は、具体的には、出射光が５６６５±３５５Ｋの色温度となる。演色評価数Ｒ１〜１５の全てを高めるためには、公称色温度５７００Ｋの照明装置１００の発光スペクトルの第二ピークは、図２０中の数式において５６６５±３５５Ｋの範囲に相当する相対光強度になればよい。具体的には、発光スペクトルにおいて、第一ピークにおける光強度に対する第二ピークにおける光強度の比は、０．６５以上０．７６未満であればよい。
【００７５】
同様に、公称色温度５７００Ｋの照明装置１００の発光スペクトルの第三ピークは、図２１中の数式において５６６５±３５５Ｋの範囲に相当する相対光強度になればよい。具体的には、発光スペクトルにおいて、第一ピークにおける光強度に対する第三ピークにおける光強度の比は、０．６６以上０．８５未満であればよい。
【００７６】
公称色温度５７００Ｋの照明装置１００の発光スペクトルの第一ボトムは、図２２中の数式において５６６５±３５５Ｋの範囲に相当する相対光強度になればよい。具体的には、発光スペクトルにおいて、第一ピークにおける光強度に対する第一ボトムにおける光強度の比は、０．４５以上０．５４未満であればよい。
【００７７】
公称色温度５７００Ｋの照明装置１００の発光スペクトルの第二ボトムは、図２３中の数式において５６６５±３５５Ｋの範囲に相当する相対光強度になればよい。具体的には、発光スペクトルにおいて、第一ピークにおける光強度に対する第二ボトムにおける光強度の比は、０．５０以上０．６０未満であればよい。
【００７８】
［出射光の色温度が５０００Ｋの照明装置が満たすべき要件］
例えば、公称色温度５０００Ｋの照明装置１００は、具体的には、出射光が５０２８±２８３Ｋの色温度となる。演色評価数Ｒ１〜１５の全てを高めるためには、公称色温度５０００Ｋの照明装置１００の発光スペクトルの第二ピークは、図２０中の数式において５０２８±２８３Ｋの範囲に相当する相対光強度になればよい。具体的には、発光スペクトルにおいて、第一ピークにおける光強度に対する第二ピークにおける光強度の比は、０．７６以上０．８７未満であればよい。
【００７９】
同様に、公称色温度５０００Ｋの照明装置１００の発光スペクトルの第三ピークは、図２１中の数式において５０２８±２８３Ｋの範囲に相当する相対光強度になればよい。具体的には、発光スペクトルにおいて、第一ピークにおける光強度に対する第三ピークにおける光強度の比は、０．８５以上１．１０未満であればよい。
【００８０】
公称色温度５０００Ｋの照明装置１００の発光スペクトルの第一ボトムは、図２２中の数式において５０２８±２８３Ｋの範囲に相当する相対光強度になればよい。具体的には、発光スペクトルにおいて、第一ピークにおける光強度に対する第一ボトムにおける光強度の比は、０．３８以上０．４５未満であればよい。
【００８１】
公称色温度５０００Ｋの照明装置１００の発光スペクトルの第二ボトムは、図２３中の数式において５０２８±２８３Ｋの範囲に相当する相対光強度になればよい。具体的には、発光スペクトルにおいて、第一ピークにおける光強度に対する第二ボトムにおける光強度の比は、０．６以上０．７１未満であればよい。
【００８２】
［出射光の色温度が４５００Ｋの照明装置が満たすべき要件］
例えば、公称色温度４５００Ｋの照明装置１００は、具体的には、出射光が４５０３±２４３Ｋの色温度となる。演色評価数Ｒ１〜１５の全てを高めるためには、公称色温度４５００Ｋの照明装置１００の発光スペクトルの第二ピークは、図２０中の数式において４５０３±２４３Ｋの範囲に相当する相対光強度になればよい。具体的には、発光スペクトルにおいて、第一ピークにおける光強度に対する第二ピークにおける光強度の比は、０．８７以上０．９９未満であればよい。
【００８３】
同様に、公称色温度４５００Ｋの照明装置１００の発光スペクトルの第三ピークは、図２１中の数式において４５０３±２４３Ｋの範囲に相当する相対光強度になればよい。具体的には、発光スペクトルにおいて、第一ピークにおける光強度に対する第三ピークにおける光強度の比は、１．１０以上１．３３未満であればよい。
【００８４】
公称色温度４５００Ｋの照明装置１００の発光スペクトルの第一ボトムは、図２２中の数式において４５０３±２４３Ｋの範囲に相当する相対光強度になればよい。具体的には、発光スペクトルにおいて、第一ピークにおける光強度に対する第一ボトムにおける光強度の比は、０．５７以上０．６５未満であればよい。
【００８５】
公称色温度４５００Ｋの照明装置１００の発光スペクトルの第二ボトムは、図２３中の数式において４５０３±２４３Ｋの範囲に相当する相対光強度になればよい。具体的には、発光スペクトルにおいて、第一ピークにおける光強度に対する第二ボトムにおける光強度の比は、０．７１以上０．８４未満であればよい。
【００８６】
［出射光の色温度が４０００Ｋの照明装置が満たすべき要件］
例えば、公称色温度４０００Ｋの照明装置１００は、具体的には、出射光が３９８５±２７５Ｋの色温度となる。演色評価数Ｒ１〜１５の全てを高めるためには、公称色温度４０００Ｋの照明装置１００の発光スペクトルの第二ピークは、図２０中の数式において３９８５±２７５Ｋの範囲に相当する相対光強度になればよい。具体的には、発光スペクトルにおいて、第一ピークにおける光強度に対する第二ピークにおける光強度の比は、０．９９以上１．１８未満であればよい。
【００８７】
同様に、公称色温度４０００Ｋの照明装置１００の発光スペクトルの第三ピークは、図２１中の数式において３９８５±２７５Ｋの範囲に相当する相対光強度になればよい。具体的には、発光スペクトルにおいて、第一ピークにおける光強度に対する第三ピークにおける光強度の比は、１．３３以上１．７５未満であればよい。
【００８８】
公称色温度４０００Ｋの照明装置１００の発光スペクトルの第一ボトムは、図２２中の数式において３９８５±２７５Ｋの範囲に相当する相対光強度になればよい。具体的には、発光スペクトルにおいて、第一ピークにおける光強度に対する第一ボトムにおける光強度の比は、０．４９以上０．５７未満であればよい。
【００８９】
公称色温度４０００Ｋの照明装置１００の発光スペクトルの第二ボトムは、図２３中の数式において３９８５±２７５Ｋの範囲に相当する相対光強度になればよい。具体的には、発光スペクトルにおいて、第一ピークにおける光強度に対する第二ボトムにおける光強度の比は、０．８４以上１．０３未満であればよい。
【００９０】
［出射光の色温度が３５００Ｋの照明装置が満たすべき要件］
例えば、公称色温度３５００Ｋの照明装置１００は、具体的には、出射光が３４６５±２４５Ｋの色温度となる。演色評価数Ｒ１〜１５の全てを高めるためには、公称色温度３５００Ｋの照明装置１００の発光スペクトルの第二ピークは、図２０中の数式において３４６５±２４５Ｋの範囲に相当する相対光強度になればよい。具体的には、発光スペクトルにおいて、第一ピークにおける光強度に対する第二ピークにおける光強度の比は、１．１８以上１．４０未満であればよい。
【００９１】
同様に、公称色温度３５００Ｋの照明装置１００の発光スペクトルの第三ピークは、図２１中の数式において３４６５±２４５Ｋの範囲に相当する相対光強度になればよい。具体的には、発光スペクトルにおいて、第一ピークにおける光強度に対する第三ピークにおける光強度の比は、１．７５以上２．３３未満であればよい。
【００９２】
公称色温度３５００Ｋの照明装置１００の発光スペクトルの第一ボトムは、図２２中の数式において３４６５±２４５Ｋの範囲に相当する相対光強度になればよい。具体的には、発光スペクトルにおいて、第一ピークにおける光強度に対する第一ボトムにおける光強度の比は、０．４２以上０．４９未満であればよい。
【００９３】
公称色温度３５００Ｋの照明装置１００の発光スペクトルの第二ボトムは、図２３中の数式において３４６５±２４５Ｋの範囲に相当する相対光強度になればよい。具体的には、発光スペクトルにおいて、第一ピークにおける光強度に対する第二ボトムにおける光強度の比は、１．０３以上１．２８未満であればよい。
【００９４】
［出射光の色温度が３０００Ｋの照明装置が満たすべき要件］
例えば、公称色温度３０００Ｋの照明装置１００は、具体的には、出射光が３０４５±１７５Ｋの色温度となる。演色評価数Ｒ１〜１５の全てを高めるためには、公称色温度３０００Ｋの照明装置１００の発光スペクトルの第二ピークは、図２０中の数式において３０４５±１７５Ｋの範囲に相当する相対光強度になればよい。具体的には、発光スペクトルにおいて、第一ピークにおける光強度に対する第二ピークにおける光強度の比は、１．４０以上１．６１未満であればよい。
【００９５】
同様に、公称色温度３０００Ｋの照明装置１００の発光スペクトルの第三ピークは、図２１中の数式において３０４５±１７５Ｋの範囲に相当する相対光強度になればよい。具体的には、発光スペクトルにおいて、第一ピークにおける光強度に対する第三ピークにおける光強度の比は、２．３３以上２．９３未満であればよい。
【００９６】
公称色温度３０００Ｋの照明装置１００の発光スペクトルの第一ボトムは、図２２中の数式において３０４５±１７５Ｋの範囲に相当する相対光強度になればよい。具体的には、発光スペクトルにおいて、第一ピークにおける光強度に対する第一ボトムにおける光強度の比は、０．３８以上０．４２未満であればよい。
【００９７】
公称色温度３０００Ｋの照明装置１００の発光スペクトルの第二ボトムは、図２３中の数式において３０４５±１７５Ｋの範囲に相当する相対光強度になればよい。具体的には、発光スペクトルにおいて、第一ピークにおける光強度に対する第二ボトムにおける光強度の比は、１．２８以上１．５２未満であればよい。
【００９８】
［出射光の色温度が２７００Ｋの照明装置が満たすべき要件］
例えば、公称色温度２７００Ｋの照明装置１００は、具体的には、出射光が２７２５±１４５Ｋの色温度となる。演色評価数Ｒ１〜１５の全てを高めるためには、公称色温度２７００Ｋの照明装置１００の発光スペクトルの第二ピークは、図２０中の数式において２７２５±１４５Ｋの範囲に相当する相対光強度になればよい。具体的には、発光スペクトルにおいて、第一ピークにおける光強度に対する第二ピークにおける光強度の比は、１．６１以上１．８４未満であればよい。
【００９９】
同様に、公称色温度２７００Ｋの照明装置１００の発光スペクトルの第三ピークは、図２１中の数式において２７２５±１４５Ｋの範囲に相当する相対光強度になればよい。具体的には、発光スペクトルにおいて、第一ピークにおける光強度に対する第三ピークにおける光強度の比は、２．９３以上３．６３未満であればよい。
【０１００】
公称色温度２７００Ｋの照明装置１００の発光スペクトルの第一ボトムは、図２２中の数式において２７２５±１４５Ｋの範囲に相当する相対光強度になればよい。具体的には、発光スペクトルにおいて、第一ピークにおける光強度に対する第一ボトムにおける光強度の比は、０．３３以上０．３８未満であればよい。
【０１０１】
公称色温度２７００Ｋの照明装置１００の発光スペクトルの第二ボトムは、図２３中の数式において２７２５±１４５Ｋの範囲に相当する相対光強度になればよい。具体的には、発光スペクトルにおいて、第一ピークにおける光強度に対する第二ボトムにおける光強度の比は、１．５２以上１．７９未満であればよい。
【０１０２】
［変形例１］
上記実施の形態１では、青色ＬＥＤチップ、及び、発光ピーク波長が異なる複数種類の量子ドット蛍光体によって第一ピーク、第二ピーク、第三ピーク、第一ボトム、及び、第二ボトムを有する発光スペクトル（以下、上記実施の形態１に係る発光スペクトルとも記載される）を実現したが、このような発光スペクトルの実現方法は一例である。
【０１０３】
例えば、上記実施の形態１に係る発光スペクトルを実現するために、青色ＬＥＤチップに代えてまたは青色ＬＥＤに加えて、青色光よりも短波長である紫外光を放出する紫外ＬＥＤチップが用いられてもよい。青色ＬＥＤチップに代えて紫外ＬＥＤチップが用いられる場合、第一ピークは、例えば、青色光を発する蛍光体によって実現されればよい。
【０１０４】
また、発光粒子として、量子ドット蛍光体に代えて、量子ドット蛍光体以外のその他の無機蛍光体が用いられてもよい。その他の無機蛍光体とは、ＹＡＧ系の蛍光体などである。また、発光粒子として、量子ドット蛍光体及びその他の無機蛍光体の両方が用いられてもよい。
【０１０５】
また、上記実施の形態１に係る発光スペクトルは、発光ピーク波長が互いに異なる６種類の蛍光体により実現されたが、発光ピーク波長が互いに異なる７種類以上の蛍光体によって実現されてもよいし、６種類未満の蛍光体によって実現されてもよい。
【０１０６】
また、上記実施の形態１で説明された量子ドット蛍光体の発光ピーク波長は、一例である。例えば、上記実施の形態１で説明された量子ドット蛍光体と発光ピーク波長が±１０ｎｍ程度異なる量子ドット蛍光体が用いられてもよい。
【０１０７】
また、上記実施の形態１に係る発光スペクトルは、発光素子及び発光粒子のうち発光素子のみによって実現されてもよい。つまり、照明装置１００は、蛍光体プレート２０などの波長変換材を備えなくてもよい。例えば、上記実施の形態１に係る発光スペクトルは、発光ピーク波長が互いに異なる複数のＬＥＤチップによって実現されてもよい。
【０１０８】
［変形例２］
また、本発明は、発光装置３０として実現されてもよい。発光装置３０は、言い換えれば、上記実施の形態１の照明装置の光源として用いられる発光モジュールである。本発明は、例えば、上記実施の形態１に係る発光スペクトルを有する出射光を出射するＣＯＢ構造の発光装置として実現されてもよい。ＣＯＢ構造の発光装置は、基板上に実装された発光素子が、発光粒子を含む封止部材によって封止された構造を有する。封止部材は、例えば、シリコーン樹脂などの透光性を有する樹脂材料を基材とする部材である。
【０１０９】
また、本発明は、ＳＭＤ（Ｓｕｒｆａｃｅ  Ｍｏｕｎｔ  Ｄｅｖｉｃｅ）構造の発光装置として実現されてもよい。ＳＭＤ構造の発光装置は、基板上にＳＭＤ型の素子が実装された構造を有する。ＳＭＤ型の素子は、容器内に配置された発光素子が、容器に充填された発光粒子を含む封止部材によって封止された構造を有する。また、本発明は、リモートフォスファー型の発光装置として実現されてもよい。いずれの場合も、発光装置に用いられる発光素子及び発光粒子の組み合わせは、上記変形例１で説明されたような各種組み合わせが適用可能である。
【０１１０】
なお、本発明は、上記ＳＭＤ構造の発光装置に用いられるＳＭＤ型の素子として実現されてもよい。
【０１１１】
［効果等］
以上説明したように、照明装置１００は、一次光を発するＬＥＤチップ１２と、一次光により励起されて二次光を発する蛍光体粒子２２とを備える。ＬＥＤチップ１２は、発光素子の一例であり、蛍光体粒子２２は、発光粒子の一例である。照明装置１００は、一次光及び二次光を含む出射光を発する。出射光の発光スペクトルは、波長４２０ｎｍ以上４６０ｎｍ以下の範囲に位置する第一ピークと、波長５３０ｎｍ以上５８０ｎｍ以下の範囲に位置する第二ピークと、波長６０５ｎｍ以上６５５ｎｍ以下の範囲に位置する第三ピークと、波長４４０ｎｍ以上４８０ｎｍ以下の範囲に位置する第一ボトムと、波長５５５ｎｍ以上６０５ｎｍ以下の範囲に位置する第二ボトムとを有する。
【０１１２】
これにより、実施例１〜８のように、演色評価数Ｒ１〜Ｒ１５の全てが比較的高い照明装置１００が実現される。言い換えれば、色の再現性が向上された照明装置１００が実現される。
【０１１３】
また、例えば、発光スペクトルにおいて、第一ピークにおける光強度に対する第二ピークにおける光強度の比は、０．５３以上０．６５未満であり、第一ピークにおける光強度に対する第三ピークにおける光強度の比は、０．４９以上０．６６未満である。例えば、第一ピークにおける光強度に対する第一ボトムにおける光強度の比は、０．５４以上０．６９未満であり、第一ピークにおける光強度に対する第二ボトムにおける光強度の比は、０．３９以上０．５０未満である。
【０１１４】
これにより、ＡＮＳＩによって定められた公称色温度６５００Ｋの出射光を出射する照明装置１００であって、Ｒ１〜Ｒ１５の全てが比較的高い照明装置１００が実現される。
【０１１５】
また、例えば、発光スペクトルにおいて、第一ピークにおける光強度に対する、第二ピークにおける光強度の比は、０．６５以上０．７６未満であり、第一ピークにおける光強度に対する第三ピークにおける光強度の比は、０．６６以上０．８５未満である。例えば、第一ピークにおける光強度に対する第一ボトムにおける光強度の比は、０．４５以上０．５４未満であり、第一ピークにおける光強度に対する第二ボトムにおける光強度の比は、０．５０以上０．６０未満である。
【０１１６】
これにより、ＡＮＳＩによって定められた公称色温度５７００Ｋの出射光を出射する照明装置１００であって、Ｒ１〜Ｒ１５の全てが比較的高い照明装置１００が実現される。
【０１１７】
また、例えば、発光スペクトルにおいて、第一ピークにおける光強度に対する、第二ピークにおける光強度の比は、０．７６以上０．８７未満であり、第一ピークにおける光強度に対する第三ピークにおける光強度の比は、０．８５以上１．１０未満である。例えば、第一ピークにおける光強度に対する第一ボトムにおける光強度の比は、０．３８以上０．４５未満であり、第一ピークにおける光強度に対する第二ボトムにおける光強度の比は、０．６以上０．７１未満である。
【０１１８】
これにより、ＡＮＳＩによって定められた公称色温度５０００Ｋの出射光を出射する照明装置１００であって、Ｒ１〜Ｒ１５の全てが比較的高い照明装置１００が実現される。
【０１１９】
また、例えば、発光スペクトルにおいて、第一ピークにおける光強度に対する、前記第二ピークにおける光強度の比は、０．８７以上０．９９未満であり、第一ピークにおける光強度に対する第三ピークにおける光強度の比は、１．１０以上１．３３未満である。例えば、第一ピークにおける光強度に対する第一ボトムにおける光強度の比は、０．５７以上０．６５未満であり、第一ピークにおける光強度に対する第二ボトムにおける光強度の比は、０．７１以上０．８４未満である。
【０１２０】
これにより、ＡＮＳＩによって定められた公称色温度４５００Ｋの出射光を出射する照明装置１００であって、Ｒ１〜Ｒ１５の全てが比較的高い照明装置１００が実現される。
【０１２１】
また、例えば、発光スペクトルにおいて、第一ピークにおける光強度に対する、第二ピークにおける光強度の比は、０．９９以上１．１８未満であり、第一ピークにおける光強度に対する第三ピークにおける光強度の比は、１．３３以上１．７５未満である。例えば、第一ピークにおける光強度に対する第一ボトムにおける光強度の比は、０．４９以上０．５７未満であり、第一ピークにおける光強度に対する第二ボトムにおける光強度の比は、０．８４以上１．０３未満である。
【０１２２】
これにより、ＡＮＳＩによって定められた公称色温度４０００Ｋの出射光を出射する照明装置１００であって、Ｒ１〜Ｒ１５の全てが比較的高い照明装置１００が実現される。
【０１２３】
また、例えば、発光スペクトルにおいて、第一ピークにおける光強度に対する、第二ピークにおける光強度の比は、１．１８以上１．４０未満であり、第一ピークにおける光強度に対する第三ピークにおける光強度の比は、１．７５以上２．３３未満である。例えば、第一ピークにおける光強度に対する第一ボトムにおける光強度の比は、０．４２以上０．４９未満であり、第一ピークにおける光強度に対する第二ボトムにおける光強度の比は、１．０３以上１．２８未満である。
【０１２４】
これにより、ＡＮＳＩによって定められた公称色温度３５００Ｋの出射光を出射する照明装置１００であって、Ｒ１〜Ｒ１５の全てが比較的高い照明装置１００が実現される。
【０１２５】
また、例えば、発光スペクトルにおいて、第一ピークにおける光強度に対する、第二ピークにおける光強度の比は、１．４０以上１．６１未満であり、第一ピークにおける光強度に対する第三ピークにおける光強度の比は、２．３３以上２．９３未満である。例えば、第一ピークにおける光強度に対する第一ボトムにおける光強度の比は、０．３８以上０．４２未満であり、第一ピークにおける光強度に対する第二ボトムにおける光強度の比は、１．２８以上１．５２未満である。
【０１２６】
これにより、ＡＮＳＩによって定められた公称色温度３０００Ｋの出射光を出射する照明装置１００であって、Ｒ１〜Ｒ１５の全てが比較的高い照明装置１００が実現される。
【０１２７】
また、例えば、発光スペクトルにおいて、第一ピークにおける光強度に対する、第二ピークにおける光強度の比は、１．６１以上１．８４未満であり、第一ピークにおける光強度に対する第三ピークにおける光強度の比は、２．９３以上３．６３未満である。例えば、第一ピークにおける光強度に対する第一ボトムにおける光強度の比は、０．３３以上０．３８未満であり、第一ピークにおける光強度に対する第二ボトムにおける光強度の比は、１．５２以上１．７９未満である。
【０１２８】
これにより、ＡＮＳＩによって定められた公称色温度２７００Ｋの出射光を出射する照明装置１００であって、Ｒ１〜Ｒ１５の全てが比較的高い照明装置１００が実現される。
【０１２９】
また、例えば、発光スペクトルにおいて、第一ピークの光強度を１としたときの、第一ピークの波長よりも長く第三ピークの波長よりも短い波長範囲における光強度は、０．３５以上である。
【０１３０】
これにより、Ｒ１〜Ｒ１５の全てが比較的高い照明装置１００が実現される。言い換えれば、色の再現性が向上された照明装置１００が実現される。
【０１３１】
また、発光装置３０は、一次光を発するＬＥＤチップ１２と、一次光により励起されて二次光を発する蛍光体粒子２２とを備える。ＬＥＤチップ１２は、発光素子の一例であり、蛍光体粒子２２は、発光粒子の一例である。発光装置３０は、一次光及び二次光を含む出射光を発する。出射光の発光スペクトルは、波長４２０ｎｍ以上４６０ｎｍ以下の範囲に位置する第一ピークと、波長５３０ｎｍ以上５８０ｎｍ以下の範囲に位置する第二ピークと、波長６０５ｎｍ以上６５５ｎｍ以下の範囲に位置する第三ピークと、波長４４０ｎｍ以上４８０ｎｍ以下の範囲に位置する第一ボトムと、波長５５５ｎｍ以上６０５ｎｍ以下の範囲に位置する第二ボトムとを有する。
【０１３２】
これにより、実施例１〜８のように、演色評価数Ｒ１〜Ｒ１５の全てが比較的高い発光装置３０が実現される。言い換えれば、色の再現性が向上された発光装置３０が実現される。
【０１３３】
（実施の形態２）
［基本構成］
上述のように、本発明は、上記実施の形態１に係る発光スペクトルを有するＣＯＢ構造の発光装置として実現されてもよい。実施の形態２では、ＣＯＢ構造の発光装置の具体的構成について説明する。図２５は、ＣＯＢ構造の発光装置の外観斜視図である。図２６は、ＣＯＢ構造の発光装置の模式断面図である。
【０１３４】
図２５及び図２６に示されるように、発光装置３０ａは、基板１１と、複数のＬＥＤチップ１２と、封止部材１３ａと、ダム材１５と、ボンディングワイヤ１７とを備える。
【０１３５】
基板１１及び複数のＬＥＤチップ１２については、発光装置１０と同様の構成である。複数のＬＥＤチップ１２は、主に、ボンディングワイヤ１７によってＣｈｉｐ  Ｔｏ  Ｃｈｉｐで電気的に接続される。ボンディングワイヤ１７は、ＬＥＤチップ１２に電気的及び構造的に接続される給電用のワイヤである。なお、ボンディングワイヤ１７の金属材料としては、例えば、金（Ａｕ）、銀（Ａｇ）、または銅（Ｃｕ）等が採用される。
【０１３６】
ダム材１５は、基板１１上に設けられた、封止部材１３ａをせき止めるための部材である。ダム材１５には、例えば、絶縁性を有する熱硬化性樹脂または熱可塑性樹脂等が用いられる。より具体的には、ダム材１５には、シリコーン樹脂、フェノール樹脂、エポキシ樹脂、ビスマレイミドトリアジン樹脂、またはポリフタルアミド（ＰＰＡ）樹脂などが用いられる。
【０１３７】
ダム材１５は、発光装置１０の光取り出し効率を高めるために、光反射性を有することが望ましい。そこで、ダム材１５には、白色の樹脂（いわゆる白樹脂）が用いられる。なお、ダム材１５の光反射性を高めるために、ダム材１５の中には、ＴｉＯ２、Ａｌ２Ｏ３、ＺｒＯ２、及びＭｇＯ等の粒子が含まれてもよい。
【０１３８】
発光装置３０ａにおいては、ダム材１５は、上面視した場合、複数のＬＥＤチップ１２を囲むように円環状に形成される。そして、ダム材１５に囲まれた領域には、封止部材１３ａが設けられる。なお、ダム材１５は、外形が矩形の環状に形成されてもよい。
【０１３９】
封止部材１３ａは、複数のＬＥＤチップ１２を封止する封止部材である。封止部材１３ａは、より具体的には、複数のＬＥＤチップ１２、ボンディングワイヤ１７、及び配線１６の一部を封止する。
【０１４０】
封止部材１３ａの基材は、透光性樹脂材料である。透光性樹脂材料としては、例えば、メチル系のシリコーン樹脂が用いられるが、エポキシ樹脂またはユリア樹脂などが用いられてもよい。
【０１４１】
封止部材１３ａは、蛍光体粒子２２を含有する。封止部材１３は、より具体的には、発光ピーク波長が互いに異なる複数種類の量子ドット蛍光体を含む。これにより、上記実施の形態１に係る発光スペクトルが実現される。
【０１４２】
［実施の形態２の変形例１］
発光装置３０ａにおいては、複数のＬＥＤチップ１２及びボンディングワイヤ１７が単層構造の封止部材１３によって封止されているが、複数のＬＥＤチップ１２及びボンディングワイヤ１７は、多層構造の封止部材によって封止されていてもよい。図２７は、このような実施の形態２の変形例１に係る発光装置の模式断面図である。
【０１４３】
図２７に示される発光装置３０ｂは２層構造の封止部材１３ｂを備える。封止部材１３ｂは、複数のＬＥＤチップ１２を封止する第一封止層１３ｂ１と、第一封止層１３ｂ１上に形成された第二封止層１３ｂ２とを備える。
【０１４４】
第一封止層１３ｂ１の基材、及び、第二封止層１３ｂ２の基材は、封止部材１３ａの基材と同様である。第一封止層１３ｂ１は、蛍光体粒子２２を含有しない透明層である。第二封止層１３ｂ２は、蛍光体粒子２２を含有する。第二封止層１３ｂ２は、より具体的には、発光ピーク波長が互いに異なる複数種類の量子ドット蛍光体を含む。これにより、上記実施の形態１に係る発光スペクトルが実現される。
【０１４５】
［実施の形態２の変形例２］
図２８は、実施の形態２の変形例２に係る発光装置の模式断面図である。図２８に示される発光装置３０ｃは、２層構造の封止部材１３ｃを備える。封止部材１３ｃは、複数のＬＥＤチップ１２間の隙間を埋める第一封止層１３ｃ１と、第一封止層１３ｃ１及び複数のＬＥＤチップ１２上に形成された第二封止層１３ｃ２とを備える。
【０１４６】
第一封止層１３ｃ１の基材、及び、第二封止層１３ｃ２の基材は、封止部材１３ａの基材と同様である。第一封止層１３ｃ１は、蛍光体粒子２２を含有する。第一封止層１３ｃ１は、より具体的には、発光ピーク波長が互いに異なる複数種類の量子ドット蛍光体を含む。これにより、上記実施の形態１に係る発光スペクトルが実現される。第二封止層１３ｃ２は、例えば、蛍光体粒子２２を含有しない透明層である。
【０１４７】
［実施の形態２の変形例３］
図２９は、実施の形態２の変形例３に係る発光装置の模式断面図である。図２９に示される発光装置３０ｄは、多層構造の封止部材１３ｄを備える。封止部材１３ｄは、複数のＬＥＤチップ１２を封止する封止層１３ｄ１と、封止層１３ｄ１上に積層された封止層１３ｄ２〜１３ｄ５とを備える。
【０１４８】
複数の封止層１３ｄ１〜１３ｄ５の基材は、封止部材１３ａの基材と同様である。封止層１３ｄ１は、蛍光体粒子２２を含有しない透明層である。封止層１３ｄ２〜１３ｄ５のそれぞれは、蛍光体粒子２２を含有する。封止層１３ｄ２〜１３ｄ５のそれぞれは、より具体的には、上記実施の形態１に係る発光スペクトルを実現するための複数種類の量子ドット蛍光体のうちの１種類を含む。封止層１３ｄ２〜１３ｄ５は、例えば、封止層１３ｄ１の近くに位置する封止層ほど、蛍光のピーク波長が長い量子ドット蛍光体を含む。具体的には、封止層１３ｄ２は、赤色系の量子ドット蛍光体を含み、封止層１３ｄ３は、黄色系の量子ドット蛍光体を含み、封止層１３ｄ４は、黄緑色系の量子ドット蛍光体を含み、封止層１３ｄ５は、緑色系の量子ドット蛍光体を含む。これにより、下方に位置する封止層から出射される蛍光が上方に位置する封止層の蛍光体粒子２２に吸収されてしまうことが抑制される。つまり、蛍光の利用効率が向上される。
【０１４９】
［実施の形態２の変形例４］
図３０は、実施の形態２の変形例４に係る発光装置の模式断面図である。図３０に示される発光装置３０ｅは、封止部材１３ｅを備える。封止部材１３ｅは、複数のＬＥＤチップ１２のそれぞれの直上に略半球状（言い換えれば、ドット状）の凹部が設けられた封止層１３ｅ１と、凹部内に形成された封止層１３ｅ２〜１３ｅ５とを備える。
【０１５０】
複数の封止層１３ｅ１〜１３ｅ５の基材は、封止部材１３ａの基材と同様である。封止層１３ｅ１は、蛍光体粒子２２を含有しない透明層である。封止層１３ｅ２〜１３ｅ５のそれぞれは、蛍光体粒子２２を含有する。封止層１３ｅ２〜１３ｅ５のそれぞれは、より具体的には、上記実施の形態１に係る発光スペクトルを実現するための複数種類の量子ドット蛍光体のうちの１種類を含む。例えば、封止層１３ｅ２は、赤色系の量子ドット蛍光体を含み、封止層１３ｅ３は、黄色系の量子ドット蛍光体を含み、封止層１３ｅ４は、黄緑色系の量子ドット蛍光体を含み、封止層１３ｅ５は、緑色系の量子ドット蛍光体を含む。
【０１５１】
［実施の形態２の変形例５］
図３１は、実施の形態２の変形例５に係る発光装置の模式断面図である。図３１に示される発光装置３０ｆは、封止部材１３ｆを備える。封止部材１３ｆは、複数のＬＥＤチップ１２を封止する封止層１３ｆ１と、封止層ｆ１の上面に当該上面に沿って並んで配置された封止層１３ｆ２〜１３ｆ５とを備える。封止層１３ｆ２〜１３ｆ５は、封止層１３ｆ１上にパッチワーク状に配置される。複数のＬＥＤチップ１２と封止層１３ｆ２〜１３ｆ５とは１対１で対応する。
【０１５２】
複数の封止層１３ｆ１〜１３ｆ５の基材は、封止部材１３ａの基材と同様である。封止層１３ｆ１は、蛍光体粒子２２を含有しない透明層である。封止層１３ｆ２〜１３ｆ５のそれぞれは、蛍光体粒子２２を含有する。封止層１３ｆ２〜１３ｆ５のそれぞれは、より具体的には、上記実施の形態１に係る発光スペクトルを実現するための複数種類の量子ドット蛍光体のうちの１種類を含む。例えば、封止層１３ｆ２は、赤色系の量子ドット蛍光体を含み、封止層１３ｆ３は、黄色系の量子ドット蛍光体を含み、封止層１３ｆ４は、黄緑色系の量子ドット蛍光体を含み、封止層１３ｆ５は、緑色系の量子ドット蛍光体を含む。
【０１５３】
（他の実施の形態）
以上、実施の形態に係る発光装置、及び、照明装置について説明したが、本発明は、上記実施の形態に限定されるものではない。
【０１５４】
例えば、上記実施の形態１では、照明装置は、ダウンライトであったが、本発明は、スポットライト、シーリングライト、または、ベースライトなどダウンライト以外の照明装置として実現されてもよい。
【０１５５】
また、上記実施の形態２で説明された発光装置の積層構造は、一例である。実施の形態２においては、蛍光体粒子を含まないと説明された封止層に蛍光体粒子が含まれてもよいし、蛍光体粒子を含むと説明された封止層に蛍光体粒子が含まれなくてもよい。また、１種類の量子ドット蛍光体を含むと説明された封止層に２種以上の量子ドット蛍光体が含まれてもよい。また、実施の形態２において、量子ドット蛍光体に代えて量子ドット蛍光体以外のその他の無機蛍光体が用いられてもよい。
【０１５６】
また、上記実施の形態では、発光装置に用いる発光素子としてＬＥＤチップが例示された。しかしながら、半導体レーザ等の半導体発光素子、または、有機ＥＬ（Ｅｌｅｃｔｒｏ  Ｌｕｍｉｎｅｓｃｅｎｃｅ）もしくは無機ＥＬ等の固体発光素子が、発光素子として採用されてもよい。
【０１５７】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。例えば、上記実施の形態における比較例に係る照明装置または発光装置が本発明に含まれてもよい。
【符号の説明】
【０１５８】
１２  ＬＥＤチップ（発光素子）
２２  蛍光体粒子（発光粒子）
３０、３０ａ、３０ｂ、３０ｃ、３０ｄ、３０ｅ、３０ｆ  発光装置
１００  照明装置
【図１】
2019062173.tif 000003
【図２】
2019062173.tif 000004
【図３】
2019062173.tif 000005
【図４】
2019062173.tif 000006
【図５】
2019062173.tif 000007
【図６】
2019062173.tif 000008
【図７】
2019062173.tif 000009
【図８】
2019062173.tif 000010
【図９】
2019062173.tif 000011
【図１０】
2019062173.tif 000012
【図１１】
2019062173.tif 000013
【図１２】
2019062173.tif 000014
【図１３】
2019062173.tif 000015
【図１４】
2019062173.tif 000016
【図１５】
2019062173.tif 000017
【図１６】
2019062173.tif 000018
【図１７】
2019062173.tif 000019
【図１８】
2019062173.tif 000020
【図１９】
2019062173.tif 000021
【図２０】
2019062173.tif 000022
【図２１】
2019062173.tif 000023
【図２２】
2019062173.tif 000024
【図２３】
2019062173.tif 000025
【図２４】
2019062173.tif 000026
【図２５】
2019062173.tif 000027
【図２６】
2019062173.tif 000028
【図２７】
2019062173.tif 000029
【図２８】
2019062173.tif 000030
【図２９】
2019062173.tif 000031
【図３０】
2019062173.tif 000032
【図３１】
2019062173.tif 000033